(57)【要約】【課題】  必要に応じて音声データのみまたは動画データのみをダウンロード可能とし、通信費を節約可能なメール配信システムを提供する。【解決手段】  メールサーバ４はメール本文と音声付き動画データとを分離し、音声付き動画データをメモリに蓄積するとともに、音声付き動画データから音声成分と動画成分とを分離し、音声付き動画データとは別の領域にそれぞれ蓄積する。メールサーバ４は音声付き動画データを分離したメール本文に対し、音声付き動画データへのアクセス先情報と、音声データまたは動画データのみへのアクセス先情報とを追記したメール本文を作成し、携帯電話機Ｂ１−２に送信する。携帯電話機Ｂ１−２はメール本文に記載された音声付き動画データへのアクセス先情報、音声データまたは動画データのみへのアクセス先情報を基にメールサーバ４内のメモリに対してパケット通信でアクセスし、それらの再生を行う。【選択図】      図１
2006092052.tif 000002
【特許請求の範囲】
【請求項１】
音声付き動画データが添付ファイルとして添付された電子メールを受信可能な受信機能を持つ携帯電話機と、前記電子メールを管理するメールサーバとを含むメール配信システムであって、
前記電子メールに前記音声付き動画データが添付されていた時に当該電子メールからメール本文と前記音声付き動画データとを分離する手段と、その分離された音声付き動画データを音声成分と動画成分とに分離する手段と、前記音声付き動画データと前記音声成分と前記動画成分とをそれぞれ異なる領域に蓄積する手段と、前記メール本文に前記音声付き動画データにアクセスするためのアクセス情報と前記音声成分にアクセスするためのアクセス情報及び前記動画成分にアクセスするためのアクセス情報の少なくとも一方とを追加記載して前記携帯電話機に送信する手段とを前記メールサーバに有し、
前記携帯電話機は、前記メール本文に追加記載された前記音声付き動画データのアクセス情報と前記音声成分のアクセス情報及び前記動画成分のアクセス情報の少なくとも一方とを基に前記メールサーバから前記音声付き動画データの取得と前記音声成分のみの取得と前記動画データのみの取得とのいずれかを行うことを特徴とするメール配信システム。
【請求項２】
前記アクセス情報は、ＩＰ（Ｉｎｔｅｒｎｅｔ  Ｐｒｏｔｏｃｏｌ）通信を行うのに必要なアドレスであることを特徴とする請求項１記載のメール配信システム。
【請求項３】
前記アクセス情報は、ＵＲＬ（Ｕｎｉｆｏｒｍ  Ｒｅｓｏｕｒｃｅ  Ｌｏｃａｔｏｒ）であることを特徴とする請求項２記載のメール配信システム。
【請求項４】
前記音声付き動画データの取得と前記音声成分のみの取得と前記動画データのみの取得とは、パケット通信にて行うことを特徴とする請求項１から請求項３のいずれか記載のメール配信システム。
【請求項５】
前記音声付き動画データと前記音声成分と前記動画データとのいずれかを前記パケット通信にて取得しながら前記携帯電話機に保存することなく再生するストリーミング再生方式と、前記音声付き動画データと前記音声成分と前記動画成分とのいずれかを前記パケット通信にて取得した後に前記携帯電話機内のメモリに保存してから再生する方式とのうちのいずれかにて前記音声付き動画データと前記音声成分と前記動画データとのいずれかを再生することを特徴とする請求項４記載のメール配信システム。
【請求項６】
音声付き動画データが添付ファイルとして添付された電子メールを受信可能な受信機能を持つ携帯電話機に対して前記電子メールの配信を管理するメールサーバであって、
前記電子メールに前記音声付き動画データが添付されていた時に当該電子メールからメール本文と前記音声付き動画データとを分離する手段と、その分離された音声付き動画データを音声成分と動画成分とに分離する手段と、前記音声付き動画データと前記音声成分と前記動画成分とをそれぞれ異なる領域に蓄積する手段と、前記メール本文に前記音声付き動画データにアクセスするためのアクセス情報と前記音声成分にアクセスするためのアクセス情報及び前記動画成分にアクセスするためのアクセス情報の少なくとも一方とを追加記載して前記携帯電話機に送信する手段とを有し、
前記携帯電話機が、前記メール本文に追加記載された前記音声付き動画データのアクセス情報と前記音声成分のアクセス情報及び前記動画成分のアクセス情報の少なくとも一方とを基に自装置から前記音声付き動画データの取得と前記音声成分のみの取得と前記動画データのみの取得とのいずれかを行うことを特徴とするメールサーバ。
【請求項７】
前記アクセス情報は、ＩＰ（Ｉｎｔｅｒｎｅｔ  Ｐｒｏｔｏｃｏｌ）通信を行うのに必要なアドレスであることを特徴とする請求項６記載のメールサーバ。
【請求項８】
前記アクセス情報は、ＵＲＬ（Ｕｎｉｆｏｒｍ  Ｒｅｓｏｕｒｃｅ  Ｌｏｃａｔｏｒ）であることを特徴とする請求項７記載のメールサーバ。
【請求項９】
前記音声付き動画データの取得と前記音声成分のみの取得と前記動画データのみの取得とは、パケット通信にて行うことを特徴とする請求項６から請求項８のいずれか記載のメールサーバ。
【請求項１０】
前記音声付き動画データと前記音声成分と前記動画データとのいずれかを前記パケット通信にて取得しながら前記携帯電話機に保存することなく再生するストリーミング再生方式と、前記音声付き動画データと前記音声成分と前記動画成分とのいずれかを前記パケット通信にて取得した後に前記携帯電話機内のメモリに保存してから再生する方式とのうちのいずれかにて前記音声付き動画データと前記音声成分と前記動画データとのいずれかを再生することを特徴とする請求項９記載のメールサーバ。
【請求項１１】
音声付き動画データが添付ファイルとして添付された電子メールを受信可能な受信機能を持つ携帯電話機と、前記電子メールを管理するメールサーバとを含むシステムに用いられるメール配信方法であって、
前記メールサーバ側に、前記電子メールに前記音声付き動画データが添付されていた時に当該電子メールからメール本文と前記音声付き動画データとを分離するステップと、その分離された音声付き動画データを音声成分と動画成分とに分離するステップと、前記音声付き動画データと前記音声成分と前記動画成分とをそれぞれ異なる領域に蓄積するステップと、前記メール本文に前記音声付き動画データにアクセスするためのアクセス情報と前記音声成分にアクセスするためのアクセス情報及び前記動画成分にアクセスするためのアクセス情報の少なくとも一方とを追加記載して前記携帯電話機に送信するステップとを有し、
前記携帯電話機が、前記メール本文に追加記載された前記音声付き動画データのアクセス情報と前記音声成分のアクセス情報及び前記動画成分のアクセス情報の少なくとも一方とを基に前記メールサーバから前記音声付き動画データの取得と前記音声成分のみの取得と前記動画データのみの取得とのいずれかを行うことを特徴とするメール配信方法。
【請求項１２】
前記アクセス情報は、ＩＰ（Ｉｎｔｅｒｎｅｔ  Ｐｒｏｔｏｃｏｌ）通信を行うのに必要なアドレスであることを特徴とする請求項１１記載のメール配信方法。
【請求項１３】
前記アクセス情報は、ＵＲＬ（Ｕｎｉｆｏｒｍ  Ｒｅｓｏｕｒｃｅ  Ｌｏｃａｔｏｒ）であることを特徴とする請求項１２記載のメール配信方法。
【請求項１４】
前記音声付き動画データの取得と前記音声成分のみの取得と前記動画データのみの取得とをパケット通信にて行うことを特徴とする請求項１１から請求項１３のいずれか記載のメール配信方法。
【請求項１５】
前記音声付き動画データと前記音声成分と前記動画データとのいずれかを前記パケット通信にて取得しながら前記携帯電話機に保存することなく再生するストリーミング再生方式と、前記音声付き動画データと前記音声成分と前記動画成分とのいずれかを前記パケット通信にて取得した後に前記携帯電話機内のメモリに保存してから再生する方式とのうちのいずれかにて前記音声付き動画データと前記音声成分と前記動画データとのいずれかを再生することを特徴とする請求項１４記載のメール配信方法。
【請求項１６】
音声付き動画データが添付ファイルとして添付された電子メールを受信可能な受信機能を持つ携帯電話機と、前記電子メールを管理するメールサーバとを含むシステムに用いられるメール配信方法のプログラムであって、前記メールサーバ側のコンピュータに、前記電子メールに前記音声付き動画データが添付されていた時に当該電子メールからメール本文と前記音声付き動画データとを分離する処理と、その分離された音声付き動画データを音声成分と動画成分とに分離する処理と、前記音声付き動画データと前記音声成分と前記動画成分とをそれぞれ異なる領域に蓄積する処理と、前記メール本文に前記音声付き動画データにアクセスするためのアクセス情報と前記音声成分にアクセスするためのアクセス情報及び前記動画成分にアクセスするためのアクセス情報の少なくとも一方とを追加記載して前記携帯電話機に送信する処理とを実行させるためのプログラム。
【発明の詳細な説明】
【技術分野】
【０００１】
本発明はメール配信システム、メールサーバ及びそれらに用いるメール配信方法並びにそのプログラムに関し、特に音声付き動画データが添付ファイルとして添付されたメールの送受信方法に関する。
【背景技術】
【０００２】
従来、携帯電話機においては、多機能化に伴って、静止画や動画を撮影するためのカメラを搭載し、そのカメラで撮影した画像データを電子メールに添付して相手先に送信することが一般的となっている。
【０００３】
さらに、上記の携帯電話機においては、カメラで動画を撮影するとと同時に、その時の音声を録音し、それら動画と音声とが一体化した音声付き動画データを電子メールの添付ファイルとすることも行われるようになってきている。
【０００４】
但し、上述した静止画や動画、あるいは音声付き動画データはそのデータ量が大容量となるため、それら静止画や動画、あるいは音声付き動画データを保存するファイルサーバ等のアドレスを電子メールに付加して送信することで、その電子メールの受信者は付加されたアドレスを基にファイルサーバにアクセスすることで、静止画や動画、あるいは音声付き動画データを閲覧することができる（例えば、特許文献１参照）。
【０００５】
音声付き動画メールを受信した携帯電話機には、図１０に示すような画面が表示されることとなる。この携帯電話機に送られてきたメールには、テキストで記述されたメール本文と、音声付き動画へのアクセス情報［ＵＲＬ（Ｕｎｉｆｏｒｍ  Ｒｅｓｏｕｒｃｅ  Ｌｏｃａｔｏｒ）：／／ａａａ．ｂｂｂ．ｃｃｃ．ＸＸＸ］が記載されている［図１０（ａ）参照］。
【０００６】
この画面上で、携帯電話機の操作部からの入力によって、メール本文に記載の音声付き動画データへのアクセス情報が選択されると、携帯電話機はメールサーバとの通信を行い、メールサーバから音声付き動画データをダウンロードし、表示部に動画を再生し、スピーカ等から音声を出力する［図１０（ｂ）参照］。
【０００７】
【特許文献１】特開２００３−２５６３４５号公報
【発明の開示】
【発明が解決しようとする課題】
【０００８】
しかし、上述した従来の携帯電話機システムでは、音声データのみ、動画データのみに比較して音声付き動画データのデータ量が大きく、また音声データのみ、または動画データのみを視聴すれば事足りる場合においても、音声付き動画データ全てをダウンロードしなければならないため、音声付き動画データへのアクセス情報が記載されたメールを受信した携帯電話機で、音声付き動画データをダウンロードする際の通信費（パケット通信料）が高額になる可能性があるという問題がある。
【０００９】
そこで、本発明の目的は上記の問題点を解消し、必要に応じて音声データのみまたは動画データのみをダウンロードすることができ、通信費（パケット通信料）を節約することができるメール配信システム、メールサーバ及びそれらに用いるメール配信方法並びにそのプログラムを提供することにある。
【課題を解決するための手段】
【００１０】
本発明によるメール配信システムは、音声付き動画データが添付ファイルとして添付された電子メールを受信可能な受信機能を持つ携帯電話機と、前記電子メールを管理するメールサーバとを含むメール配信システムであって、
前記電子メールに前記音声付き動画データが添付されていた時に当該電子メールからメール本文と前記音声付き動画データとを分離する手段と、その分離された音声付き動画データを音声成分と動画成分とに分離する手段と、前記音声付き動画データと前記音声成分と前記動画成分とをそれぞれ異なる領域に蓄積する手段と、前記メール本文に前記音声付き動画データにアクセスするためのアクセス情報と前記音声成分にアクセスするためのアクセス情報及び前記動画成分にアクセスするためのアクセス情報の少なくとも一方とを追加記載して前記携帯電話機に送信する手段とを前記メールサーバに備え、
前記携帯電話機は、前記メール本文に追加記載された前記音声付き動画データのアクセス情報と前記音声成分のアクセス情報及び前記動画成分のアクセス情報の少なくとも一方とを基に前記メールサーバから前記音声付き動画データの取得と前記音声成分のみの取得と前記動画データのみの取得とのいずれかを行わせている。
【００１１】
本発明によるメールサーバは、音声付き動画データが添付ファイルとして添付された電子メールを受信可能な受信機能を持つ携帯電話機に対して前記電子メールの配信を管理するメールサーバであって、
前記電子メールに前記音声付き動画データが添付されていた時に当該電子メールからメール本文と前記音声付き動画データとを分離する手段と、その分離された音声付き動画データを音声成分と動画成分とに分離する手段と、前記音声付き動画データと前記音声成分と前記動画成分とをそれぞれ異なる領域に蓄積する手段と、前記メール本文に前記音声付き動画データにアクセスするためのアクセス情報と前記音声成分にアクセスするためのアクセス情報及び前記動画成分にアクセスするためのアクセス情報の少なくとも一方とを追加記載して前記携帯電話機に送信する手段とを備え、
前記携帯電話機が、前記メール本文に追加記載された前記音声付き動画データのアクセス情報と前記音声成分のアクセス情報及び前記動画成分のアクセス情報の少なくとも一方とを基に自装置から前記音声付き動画データの取得と前記音声成分のみの取得と前記動画データのみの取得とのいずれかを行わせている。
【００１２】
本発明によるメール配信方法は、音声付き動画データが添付ファイルとして添付された電子メールを受信可能な受信機能を持つ携帯電話機と、前記電子メールを管理するメールサーバとを含むシステムに用いられるメール配信方法であって、
前記メールサーバ側に、前記電子メールに前記音声付き動画データが添付されていた時に当該電子メールからメール本文と前記音声付き動画データとを分離するステップと、その分離された音声付き動画データを音声成分と動画成分とに分離するステップと、前記音声付き動画データと前記音声成分と前記動画成分とをそれぞれ異なる領域に蓄積するステップと、前記メール本文に前記音声付き動画データにアクセスするためのアクセス情報と前記音声成分にアクセスするためのアクセス情報及び前記動画成分にアクセスするためのアクセス情報の少なくとも一方とを追加記載して前記携帯電話機に送信するステップとを備え、
前記携帯電話機が、前記メール本文に追加記載された前記音声付き動画データのアクセス情報と前記音声成分のアクセス情報及び前記動画成分のアクセス情報の少なくとも一方とを基に前記メールサーバから前記音声付き動画データの取得と前記音声成分のみの取得と前記動画データのみの取得とのいずれかを行わせている。
【００１３】
本発明によるメール配信方法のプログラムは、音声付き動画データが添付ファイルとして添付された電子メールを受信可能な受信機能を持つ携帯電話機と、前記電子メールを管理するメールサーバとを含むシステムに用いられるメール配信方法のプログラムであって、前記メールサーバ側のコンピュータに、前記電子メールに前記音声付き動画データが添付されていた時に当該電子メールからメール本文と前記音声付き動画データとを分離する処理と、その分離された音声付き動画データを音声成分と動画成分とに分離する処理と、前記音声付き動画データと前記音声成分と前記動画成分とをそれぞれ異なる領域に蓄積する処理と、前記メール本文に前記音声付き動画データにアクセスするためのアクセス情報と前記音声成分にアクセスするためのアクセス情報及び前記動画成分にアクセスするためのアクセス情報の少なくとも一方とを追加記載して前記携帯電話機に送信する処理とを実行させる
【００１４】
すなわち、本発明のメール配信システムは、音声付き動画データを電子メールの添付ファイルとし、その電子メールを送受信する携帯電話機を含むシステムにおいて、受信側の携帯電話機が、受信したメールに添付されている音声付き動画データ、もしくは音声データのみ、あるいは動画データのみをそれぞれ再生可能としている。
【００１５】
より具体的に説明すると、本発明のメール配信システムでは、送信側の携帯電話機にて音声付き動画を撮影し、その音声付き動画データを電子メールの添付ファイルとして受信側の携帯電話機にパケット送信する。この時、送信側の携帯電話機から発信された音声付き動画データが添付された電子メールは、携帯電話基地局及び基地局上位装置を経由して携帯電話事業者のメールサーバに送られる。
【００１６】
携帯電話事業者のメールサーバでは、メール本文と添付音声付き動画データとを分離し、音声付き動画データをサーバ内メモリに蓄積する。その際、メールサーバでは音声付き動画データの音声成分と動画成分とを分離し、サーバ内メモリにおいて音声付き動画データとは別の領域にそれぞれ蓄積する。メールサーバは分離したメール本文に対し、サーバ内メモリに蓄積した音声付き動画データへのアクセス先情報［ＵＲＬ（Ｕｎｉｆｏｒｍ  Ｒｅｓｏｕｒｃｅ  Ｌｏｃａｔｏｒ）等のＩＰ（Ｉｎｔｅｒｎｅｔ  Ｐｒｏｔｏｃｏｌ）通信を行うのに必要なアドレス］と、サーバ内メモリに蓄積した音声データのみへのアクセス先情報とを追加記載したメール本文を作成し、受信側の携帯電話機に送信する。
【００１７】
受信側の携帯電話機では、受信したメール本文に記載された音声付き動画データへのアクセス先情報、もしくは音声データのみへのアクセス先情報を基にパケット通信でアクセスしてそれらの再生を行う。ここで、再生とはメールサーバから取得した音声付き動画データ、もしくは音声データのみをパケット通信で取得しながら携帯電話機には保存しないで再生するストリーミング再生でも良いし、全音声付き動画データ、もしくは音声データのみを取得後に携帯電話機内のメモリに保存してから再生する方式のどちらでも良い。
【００１８】
これによって、本発明のメール配信システムでは、音声付き動画データが添付された電子メールを受信した携帯電話機において、音声付き動画データもしくは音声データのみのうちのどちらを再生するかが選択可能となる。一般的に、音声付き動画データよりも、音声データのみの方が、単位時間当たりのデータ量が小さい。よって、受信側の携帯電話機のユーザは必要に応じて音声データのみの再生を選択することによって、通信費（パケット通信料）の負担を減らすことが可能となる。
【００１９】
したがって、本発明のメール配信システムでは、音声付き動画データを添付ファイルとする電子メールを送信する際に、受信側の携帯電話機において、好みに応じて音声付動画データ、もしくは音声データのみのどちらかを選択して再生することが可能となる。
【００２０】
つまり、本発明のメール配信システムでは、音声付き動画データ、もしくは音声データのみを取得する側の携帯電話機が、時と場合とに応じて、音声データのみを取得することが可能となるので、メールサーバに蓄積された音声付き動画データ、もしくは音声データを受信側の携帯電話機から聞く場合、通話費（パケット通信料）を節約することが可能となる。
【発明の効果】
【００２１】
本発明は、以下に述べるような構成及び動作とすることで、必要に応じて音声データのみまたは動画データのみをダウンロードすることができ、通信費（パケット通信料）を節約することができるという効果が得られる。
【発明を実施するための最良の形態】
【００２２】
次に、本発明の実施例について図面を参照して説明する。図１は本発明の実施の形態によるメール配信システムの構成を示すブロック図である。図１において、本発明の実施の形態によるメール配信システムは、音声付き動画データを添付ファイルとする電子メールを送受信可能な携帯電話機システムの一例を示している。
【００２３】
本発明の実施の形態によるメール配信システムは、送信側の携帯電話機Ａ１−１と、携帯電話基地局２−１，２−２及び基地局上位装置３−１，３−２と、携帯電話事業者のメールサーバ（以下、メールサーバとする）４と、受信側の携帯電話機Ｂ１−２とから構成されている。
【００２４】
携帯電話機Ａ１−１は音声付き動画データを録音し、電子メールの添付ファイルとして他の携帯電話機に送信する手段を持つ。携帯電話基地局２−１，２−２及び基地局上位装置３−１，３−２は携帯電話機Ａ１−１及び携帯電話機Ｂ１−２と無線通信を行い、メールサーバ４、公衆回線、インタネット等のネットワークに接続する。メールサーバ４は携帯電話機Ａ１−１及び携帯電話機Ｂ１−２に対する電子メールの蓄積管理及び配信を行う。
【００２５】
携帯電話機Ｂ１−２は受信したメール本文に記載された音声付き動画データへのアクセス情報［ＵＲＬ（Ｕｎｉｆｏｒｍ  Ｒｅｓｏｕｒｃｅ  Ｌｏｃａｔｏｒ）等のＩＰ（Ｉｎｔｅｒｎｅｔ  Ｐｒｏｔｏｃｏｌ）通信を行うのに必要なアドレス］、もしくは音声データのみへのアクセス情報を基にメールサーバ４へのアクセスを行い、メールサーバ４から音声付き動画データもしくは音声データのみを取得し、それら音声付き動画データもしくは音声データのみの再生をそれぞれ行う。
【００２６】
尚、携帯電話機Ａ１−１及び携帯電話機Ｂ１−２は、それぞれ同様の機能を持つものとし、どちらが音声付き動画データ添付メール機能の発信側、受信側になっても良いものである。また、携帯電話機Ａ１−１及び携帯電話機Ｂ１−２はそれぞれ表示部１１−１，１１−２とキー操作部１２−１，１２−２とを備えている。
【００２７】
上記の図１を参照して本発明の実施の形態によるメール配信システムの動作について説明する。携帯電話機Ａ１−１にて音声付き動画を撮影してその音声付き動画データを電子メールの添付ファイルとし、携帯電話機Ａ１−１から携帯電話機Ｂ１−２にパケット送信する。この時、携帯電話機Ａ１−１から発信された音声付き動画データを添付ファイルとする電子メールは、携帯電話基地局２−１，２−２及び基地局上位装置３−１，３−２を経由して、メールサーバ４に送られる。
【００２８】
メールサーバ４はメール本文と添付音声付き動画データとを分離し、音声付き動画データをメールサーバ４内のメモリ（図示せず）に蓄積する。その際、メールサーバ４は音声付き動画データから音声成分と動画成分とを分離し、メールサーバ４内のメモリにおいて音声付き動画データとは別の領域にそれぞれ蓄積する。メールサーバ４は添付音声付き動画データを分離したメール本文に対し、メールサーバ４内のメモリに蓄積した音声付き動画データへのアクセス先情報（ＵＲＬ等のＩＰ通信を行うのに必要なアドレス）と、メールサーバ４内のメモリに蓄積した音声データまたは動画データのみへのアクセス先情報とを追加記載したメール本文を作成し、携帯電話機Ｂ１−２に送信する。
【００２９】
携帯電話機Ｂ１−２では受信したメール本文に記載された音声付き動画データへのアクセス先情報、もしくは音声データまたは動画データのみへのアクセス先情報を基にメールサーバ４内のメモリに対してパケット通信でアクセスし、それらの再生を行う。ここで、再生とはメールサーバ４から取得した音声付き動画データ、もしくは音声データのみをパケット通信で取得しながら携帯電話機Ｂ１−２に保存することなく再生するストリーミング再生でも良いし、全ての音声付き動画データ、もしくは音声データのみ、または動画データのみを取得後に、携帯電話機Ｂ１−２内のメモリ（図示せず）に保存してから再生する方式のどちらでも良い。
【００３０】
このように、本発明の実施の形態では、音声付き動画データを添付ファイルとする電子メールを受信した携帯電話機Ｂ１−２において、音声付き動画データ、もしくは音声データまたは動画データのみのうちのどちらを再生するかを選択することができる。一般的に、音声付き動画データよりも、音声データまたは動画データのみの方が単位時間当たりのデータ量が小さいので、受信側の携帯電話機Ｂ１−２のユーザは必要に応じて音声データまたは動画データのみの再生を選択することによって、通信費（パケット通信料）の負担を減らすことできる。
【００３１】
したがって、本発明の実施の形態では、音声付き動画データを添付ファイルとする電子メールが送信された時に、受信側の携帯電話機Ｂ１−２にて好みに応じて音声付動画データ、もしくは音声データまたは動画データのみのどちらかを選択して再生することができる。
【実施例１】
【００３２】
図２は本発明の一実施例による携帯電話機の構成を示すブロック図である。図２において、携帯電話機１は制御部１３と、メモリ１４と、キー操作部１２と、表示部１１と、スピーカ１５と、マイク１６と、音声処理部１７と、ベースバンド処理部１８と、変復調部１９と、無線部２０と、アンテナ２１と、カメラ２２とから構成されている。
【００３３】
尚、本発明の一実施例によるメール配信システムは、上記の図１に示す本発明の一実施例によるメール配信システムと同様の構成となっており、携帯電話機Ａ１−１及び携帯電話機Ｂ１−２は上記の携帯電話機１と同様の構成になっている。
【００３４】
制御部１３はプログラム制御によって動作するＣＰＵ（中央処理装置）等からなる。メモリ１４は動作プログラムを格納したり、各種情報を格納する。キー操作部１２はキー入力を行うための機器であり、表示部１１はキー入力された情報を表示したり、無線通信によって受信したデータ（文字情報、インタネットのホームページ等）を表示する。
【００３５】
スピーカ１５は各種音声（受話音声やキー操作時のトーンや着信音等）を出力し、マイク１６は携帯電話機１の使用者が通話時に音声を入力する。音声処理部１７は音声のＤ／Ａ（ディジタル／アナログ）変換及びＡ／Ｄ（アナログ／ディジタル）変換等を行う。
【００３６】
ベースバンド処理部１８は無線信号処理の送受信タイミング制御や無線信号通信時の割込信号出力制御を行う。変復調部１９は無線信号の変復調処理を行う。無線部２０は物理的に無線信号の送受信を行う。カメラ２２は動画及び静止画撮影を行う。
【００３７】
図３は本発明の一実施例によるメールサーバの構成を示すブロック図である。図３において、メールサーバ４はインタネット通信Ｉ／Ｆ（インタフェース）や携帯電話基地局２−１，２−２及び基地局上位装置３−１，３−２との通信Ｉ／Ｆを持つ通信制御部４１と、ＣＰＵ等からなる制御部４２と、メールデータ及びサーバプログラムを格納するメモリ４３とを備えている。
【００３８】
図４は本発明の一実施例による送信側の携帯電話機の動作を示すフローチャートであり、図５は本発明の一実施例によるメールサーバ４のメール受信時の動作を示すフローチャートであり、図６は本発明の一実施例による受信側の携帯電話機の動作を示すフローチャートであり、図７は本発明の一実施例によるメールサーバ４の音声データアクセス時の動作を示すフローチャートであり、図８は本発明の一実施例による受信側の携帯電話機のメール閲覧画面を示す図である。
【００３９】
これら図１〜図８を参照して、本発明の一実施例によるメール配信システムの全体の動作について説明する。尚、図４と図６と図８とに示す処理は携帯電話機１の制御部１３がメモリ１４のプログラムを実行することで実現され、図５及び図７に示す処理はメールサーバ４の制御部４２がメモリ４３のサーバプログラムを実行することで実現される。
【００４０】
まず初めに、携帯電話機Ａ１−１による音声付き動画データ添付メールの送信動作について説明する。携帯電話機Ａ１−１のキー操作部１２−１にて、所定の操作が行われると、制御部１３は音声付き動画撮影機能（図示せず）を起動する（図４ステップＳ４１）。
【００４１】
音声付き動画撮影機能が起動されると、制御部１３は音声処理部１７に指示してマイク１６を有効とするので、携帯電話機Ａ１−１のユーザの発話による音声入力が可能となる。また、制御部１３はカメラ２２に指示して携帯電話機Ａ１−１のユーザによる動画撮影を有効とする。
【００４２】
携帯電話機Ａ１−１のユーザはマイク１６に向かって録音したい内容を話し、音声録音を行い、カメラ２２を使用して撮影したい動画を撮影する。この録音・撮影データは制御部１３にて音声付き動画データとして作成される（図４ステップＳ２）。
【００４３】
撮影した音声付き動画データは携帯電話機Ａ１−１のメモリ１４に保存される。撮影完了後、携帯電話機Ａ１−１のユーザは撮影した音声付き動画データを添付ファイルとしたメール作成を行うかどうかを判断し（図４のステップＳ３）、メール作成する場合には、キー操作部１２にて所定の操作を行い、メーラ起動を行う（図４ステップＳ４）。
【００４４】
この時、メーラはメール編集画面を表示するとともに、撮影した音声付き動画データを添付ファイルとする。ユーザはキー操作部１２から文字入力を行い、メール本文を編集し、送信したい相手の携帯電話機Ｂ１−２の電子メールアドレスを送信先として設定し（図４ステップＳ５）、メール本文等の編集が終わったら送信操作を行う（図４ステップＳ６）。
【００４５】
電子メール送信処理が行われると、制御部１３はその旨を認識し、ユーザが編集した電子メール本文、あて先アドレス、撮影した音声付き動画データをメモリ１４から読出し、送信メールを作成する。
【００４６】
また、その送信メールを送信するために、制御部１３はベースバンド処理部１８、変復調部１９に指示し、無線部２０及びアンテナ２１を介して携帯電話基地局２−１と間の無線通信を開始する。無線区間の通信確立が完了した後、制御部１３は携帯電話基地局２−１作成した送信メールデータを送信する（図４ステップＳ７）。携帯電話機Ａ１−１からメール送信はパケット通信で行われる。
【００４７】
このように、本実施例では、カメラ２２で撮影した音声付き動画データを添付ファイルとする電子メールを受信側の携帯電話機Ｂ１−２に送信する。尚、本実施例では、あて先を携帯電話機の電子メールアドレスとしたが、パーソナルコンピュータで利用する電子メールアドレスでも構わない。
【００４８】
続いて、本発明の一実施例によるメールサーバ４における音声付き動画データが添付された電子メールの受信動作について説明する。メールサーバ４は携帯電話基地局２−１，２−２及び基地局上位装置３−１，３−３との通信インターフェース部である通信制御部４１を通じて電子メールを受信したかどうかを判定する（図５ステップＳ１１）。
【００４９】
電子メールを受信した場合、メールサーバ４は当該電子メールに音声付き動画データ添付があるかどうかを判断し（図５ステップＳ１２）、音声付き動画データ添付が無い場合、そのまま送信先アドレスへメール送信を行う（図５ステップＳ１７）。
【００５０】
音声付き動画データ添付がある場合、メールサーバ４の制御部４２は添付ファイルの音声付き動画データから音声データ成分を抽出し（図５ステップＳ１３）、音声付き動画データをメモリ４３に蓄積し（図５ステップＳ１４）、抽出した音声データのみをメモリ４３に蓄積する（図５ステップＳ１５）。
【００５１】
メールサーバ４は元のメール本文に音声付き動画データへのアクセス情報と音声データのみへのアクセス情報とを追記し、メール本文を編集する（図５ステップＳ１６）。メールサーバ４は編集したメールデータを指定された送信先アドレスに対して送信する（図５ステップＳ１７）。
【００５２】
以上の処理によって、メールサーバ４は音声付き動画データが添付された電子メールを受信すると、メール本文と音声付き動画データとを分離し、さらに音声付き動画データから音声データを抽出し、音声付き動画データ、音声データをメモリ４３に別々に蓄積し、音声付き動画データへのアクセス情報と音声データのみへのアクセス情報とを付加したメール本文を送信先アドレスへ送信する。
【００５３】
さらに、本実施例による携帯電話機Ｂ１−２において、音声付き動画データへのアクセス情報と音声データのみへのアクセス情報とが付加された電子メールを受信した場合に、メールサーバ４のメモリ４３に蓄積された音声付き動画データ、もしくは音声データのみのどちらかへアクセスして再生するまでの動作について説明する。
【００５４】
携帯電話機Ｂ１−２において、電子メールを受信したかどうかを判断し（図６ステップＳ２１）、電子メールを受信すると、携帯電話機Ｂ１−２ではユーザによってメール閲覧操作が行われる（図６ステップＳ２２）。閲覧したメール本文に音声付き動画データへのアクセス情報（ＵＲＬ：／／ａａａ．ｂｂｂ．ｃｃｃ．ＸＸＸ）と音声データのみへのアクセス情報（ＵＲＬ：／／ｘｘｘ．ｙｙｙ．ｚｚｚ．ＸＸＸ）とが記載されていた場合［図８（ａ）参照］、携帯電話機Ｂ１−２の制御部１３は該当アクセス情報部分をアンカー表示とする。
【００５５】
携帯電話機Ｂ１−２はユーザによってキー操作部１２が操作され、該当アクセス情報に記載のアドレス（音声付き動画データへのアクセスアドレス、または音声データのみへのアクセスアドレス）のどちらかを選択する操作が行われると（図６ステップＳ２３，Ｓ２４）、ＩＰ発信（ＩＰ接続処理）を行う（図６ステップＳ２５）。
【００５６】
ＩＰ発信を行うと、携帯電話機Ｂ１−２の制御部１３はベースバンド処理部１８、変復調部１９に指示し、無線部２０、アンテナ２１を介して、携帯電話基地局２−１との間の無線通信を開始する。無線区間の通信確立が完了した後、制御部１３はメールサーバ４内のメモリ４３に蓄積された音声付き動画データ、もしくは音声データのみへのアクセス情報を基にメールサーバ４から音声付き動画データ、もしくは音声データのみを取得する（図６ステップＳ２６）。
【００５７】
この後、携帯電話機Ｂ１−２では、ユーザに対して音声付き動画データ、もしくは音声データをメモリ１４内に保存するかどうかの判断を促す画面を表示する（図６ステップＳ２７）。メモリ１４内に保存する場合には、携帯電話機Ｂ１−２のメモリ１４に保存し（図６ステップＳ２８）、保存完了後、音声付き動画データ、もしくは音声データを再生する（図６ステップＳ２９）。メモリ１４内に保存しない場合には、音声付き動画データ、もしくは音声データを再生する（図６ステップＳ２９）。
【００５８】
尚、音声付き動画データ、もしくは音声データのみの音声データ成分を再生する場合、携帯電話機Ｂ１−２の制御部１３は取得した音声データを音声処理部１７に渡し、Ｄ／Ａ変換を行い、スピーカ１５から出力する。また、音声付き動画データの動画データ成分を再生する場合、携帯電話機Ｂ１−２の制御部１３は取得した動画データを、動画データのビットレートにしたがって表示部１１への表示処理を行う。上述した受信側の携帯電話機Ｂ１−２の表示部１１における画面表示イメージは図８（ａ），（ｂ）に示す通りである。
【００５９】
このように、本実施例では、メールサーバ４のメモリ４３に蓄積された音声付き動画データ、もしくは音声データのみを携帯電話機Ｂ１−２にて取得して再生することができる。
【００６０】
次に、メールサーバ４において、携帯電話機Ｂ１−２から音声付き動画データ、もしくは音声データのみの取得処理が行われた場合の動作について説明する。メールサーバ４は携帯電話基地局２−１，２−２及び基地局上位装置３−１，３−２との通信インタフェース部である通信制御部４１を通じて、音声データへのアクセスがあるかどうかを判定する（図７ステップＳ３１）。
【００６１】
メールサーバ４は音声データへのアクセスありの場合、アクセス元の端末へメールサーバ４内のメモリ４３に保存した音声データをパケット送信する（図７ステップＳ３２）。メールサーバ４は全てのデータ送信まで送信処理を行い（図７ステップＳ３３）、送信完了後、処理を終了する。
【００６２】
メールサーバ４は音声データへのアクセスが無い場合、音声付き動画データへのアクセスがあるかどうがを判定する（図７ステップＳ３４）。メールサーバ４はアクセスありの場合、アクセス元の端末へメールサーバ４内のメモリ４３に保存した音声付き動画データをパケット送信する（図７ステップＳ３５）。メールサーバ４は全てのデータ送信まで送信処理を行い（図７ステップＳ３６）、送信完了後、処理を終了する。
【００６３】
これによって、本実施例では、メールサーバ４に対して携帯電話機Ｂ１−２から音声付き動画データ、もしくは音声データのみの取得要求が行われた場合、音声付き動画データ、もしくは音声データのみの送信が行われる。
【００６４】
尚、上記の実施例で記載した音声付き動画データの音声データは、ＡＤＰＣＭ（Ａｄａｐｔｉｖｅ  Ｄｉｆｆｅｒｅｎｔｉａｌ  Ｐｕｌｓｅ  Ｃｏｄｅ  Ｍｏｄｕｌａｔｉｏｎ  ）や、ＡＭＲ（Ａｄａｐｔｉｖｅ  ＭｕｌｔｉＲａｔｅ）等、通常の携帯電話機で使用される圧縮音声を含む様々な音声データがあり、どの音声符号化方式を用いても良いものとする。
【００６５】
上記のように、本実施例は、従来の携帯電話機の電子メールシステムの拡張で実現されている。具体的に説明すると、本実施例では、音声付き動画データを電子メールの添付ファイルとして送信し、メールサーバ４内で添付ファイルが音声付き動画データかを判定し、メールサーバ４内のメモリ４３に蓄積することは従来のシステムと同様である。本実施例では、メールサーバ４内のメモリに蓄積する際、音声付き動画データに加え、音声データ成分のみを抽出したものも別途、メールサーバ４内のメモリ４３に蓄積することによって、受信側の携帯電話機Ｂ１−２から音声付き動画データ、もしくは音声データのみの２つのうちのどちらかを選んで再生させることができる。
【００６６】
昨今の携帯電話機システムにて採用されている音声付動画データは、動画データ成分だけで一般的に６４Ｋｂｐｓ程度以上のビットレートを利用している。音声データのみ（およそ８〜１４Ｋｂｐｓ程度）に比較し、当然、データ量が多くなる。その結果、受信側の携帯電話機Ｂ１−２のユーザは、時と場合とに応じて、音声データのみ取得することを選択すれば、受信するデータ量（パケット通信量）が、音声付き動画データに比較し小さくなるため、通信料金の負担削減につながる。
【００６７】
このように、本実施例では、音声付き動画データ、もしくは音声データのみを取得する側の携帯電話機Ｂ１−２が時と場合とに応じて、音声データのみを取得することが可能なため、メールサーバ４内のメモリ４３に蓄積された音声付き動画データ、もしくは音声データを受信側の携帯電話機Ｂ１−２から聞く場合、通話費（パケット通信料）を節約することができる。
【実施例２】
【００６８】
図９は本発明の他の実施例による受信側の携帯電話機のメール閲覧画面を示す図である。尚、本発明の他の実施例によるメール配信システムは、上記の図１に示す本発明の実施の形態によるメール配信システムと同様の構成となっており、携帯電話機及びメールサーバの構成も図２及び図３に示す本発明の一実施例による携帯電話機及びメールサーバと同様の構成になっている。
【００６９】
本発明の他の実施例では、本発明の一実施例の技術をさらに発展させ、上記の本発明の一実施例に挙げた音声付き動画データ、もしくは音声データのみに加え、動画データのみをデータ取得側の端末で選択することを可能としている。
【００７０】
これを実現するためには、まず初めにメールサーバ４にさらに変更を加える。メールサーバ４では、上述した本発明の一実施例に示す通り、メモリ４３に音声付き動画データと音声データのみとをそれぞれ保存するとともに、動画データ成分のみを抽出し、これもメモリ４３に保存するものとする。また、メールサーバ４にてメール本文編集の際、上述した本発明の一実施例に示す通り、音声付き動画データへのアクセス情報（ＵＲＬ：／／ａａａ．ｂｂｂ．ｃｃｃ．ＸＸＸ）と音声データのみへのアクセス情報（ＵＲＬ：／／ｄｄｄ．ｅｅｅ．ｆｆｆ．ＸＸＸ）とを追記するとともに、動画データ成分のみへのアクセス情報（ＵＲＬ：／／ｘｘｘ．ｙｙｙ．ｚｚｚ．ＸＸＸ）をも追記する。
【００７１】
これによって、携帯電話機Ｂ１−２は、音声付き動画データへのアクセス情報と音声データのみへのアクセス情報と動画データのみへのアクセス情報とが追記された電子メールを受信することとなる。図９に受信側の携帯電話機Ｂ１−２の画面イメージを示す。
【００７２】
図９（ａ）では上述した本発明の一実施例に記載した画面イメージ［図８（ａ）］に加えて、動画データのみへのアクセス情報も追加されている。受信側の携帯電話機Ｂ１−２のユーザがキー操作部１２−２によって画面に表示されている３つのアクセス情報のうち、動画データのみへのアクセス情報を選択すると、上述した本発明の一実施例と同様に、メールサーバ４との通信を行うことによって、動画データのみを取得し、動画データのみを再生することができる［図９（ｂ）参照］。
【００７３】
このように、本実施例では、動画データのみを取得することができるので、上述した本発明の一実施例と同様に、音声付き動画データに比較し、動画データのみの方がデータ量が小さくなり、通信量（パケット量）を抑えることができ、通信費（パケット料金）の負担を削減することができる。
【図面の簡単な説明】
【００７４】
【図１】本発明の実施の形態によるメール配信システムの構成を示すブロック図である。
【図２】本発明の一実施例による携帯電話機の構成を示すブロック図である。
【図３】本発明の一実施例によるメールサーバの構成を示すブロック図である。
【図４】本発明の一実施例による送信側の携帯電話機の動作を示すフローチャートである。
【図５】本発明の一実施例によるメールサーバのメール受信時の動作を示すフローチャートである。
【図６】本発明の一実施例による受信側の携帯電話機の動作を示すフローチャートである。
【図７】本発明の一実施例によるメールサーバの音声データアクセス時の動作を示すフローチャートである。
【図８】本発明の一実施例による受信側の携帯電話機のメール閲覧画面を示す図である。
【図９】本発明の他の実施例による受信側の携帯電話機のメール閲覧画面を示す図である。
【図１０】従来例による受信側の携帯電話機のメール閲覧画面を示す図である。
【符号の説明】
【００７５】
１  携帯電話機
１−１  携帯電話機Ａ
１−２  携帯電話機Ｂ
２−１，２−２  携帯電話基地局
３−１，３−２  基地局上位装置
４  メールサーバ
１１  表示部
１２  キー操作部
１３，４１  制御部
１４，４３  メモリ
１５  スピーカ
１６  マイク
１７  音声処理部
１８  ベースバンド処理部
１９  変復調部
２０  無線部
２１  アンテナ
２２  カメラ
４１  通信制御部
【図１】
2006092052.tif 000003
【図２】
2006092052.tif 000004
【図３】
2006092052.tif 000005
【図４】
2006092052.tif 000006
【図５】
2006092052.tif 000007
【図６】
2006092052.tif 000008
【図７】
2006092052.tif 000009
【図８】
2006092052.tif 000010
【図９】
2006092052.tif 000011
【図１０】
2006092052.tif 000012